(57)【要約】【課題】安価で且つ社名又は部・課名等の表示を容易に変更することができるカードホルダーを提供する。【解決手段】可撓性を有する透明又は半透明のポリオレフィン樹脂シートからなるホルダー本体１に、名札カード挿入口３を有するポケット状の名札カード収容部２を設け、該名札カード収容部２の下側に所属カード挿入口６を有する所属カード収容部５を設けたカードホルダー。【選択図】図１
0003125311.tif 000002
【実用新案登録請求の範囲】
【請求項１】
可撓性を有する透明又は半透明のポリオレフィン樹脂シートからなるホルダー本体に、名札カード挿入口を有するポケット状の名札カード収容部を設け、該名札カード収容部の下側に所属カード挿入口を有する所属カード収容部を設けたカードホルダー。
【請求項２】
前記ポリオレフィン樹脂シートが厚さ０．２５〜０．３５ｍｍのポリプロピレン樹脂シートである請求項１に記載のカードホルダー。
【請求項３】
前記名札カード挿入口の両端の近傍に切欠部を設けた請求項１又は２に記載のカードホルダー。
【請求項４】
前記名札カード収容部に名札カード取出用窓を設けた請求項１乃至３のいずれかに記載のカードホルダー。
【請求項５】
前記ホルダー本体にクリップ又は／及び紐を設けた請求項１乃至４のいずれかに記載のカードホルダー。
【考案の詳細な説明】
【技術分野】
【０００１】
本考案は、身分証明書・社員証・学生証・名札等のカードを収容して携帯することができるカードホルダーに関する。
【背景技術】
【０００２】
従来、身分証明書・社員証・学生証・名札等のカードを収容して携帯するカードホルダーは、透明なプラスチックシートからなり、カードを収容する矩形のカード収容部と、該カード収容部の一部を開口してカードを出し入れ可能に設けたカード挿入口とから構成されたものが一般的に知られている。このプラスチックシートは、厚さ０．２ｍｍ程度の軟質なポリエチレン樹脂シートが広く使用されている。
【０００３】
また、第１カード挿入口を有するポケット状の第１カード収容部を設けたホルダー本体に、第１カード挿入口を覆うカバー体を設けると共に、第１カード収容部の上側に第２カード挿入口を有する第２カード収容部を設けたカードホルダーが、本願出願人によって提案されている（特許文献１参照）。
【０００４】
【特許文献１】特開２００５−１２１６８４号公報
【考案の開示】
【考案が解決しようとする課題】
【０００５】
しかし、従来のカードホルダーは、カード自体に社名又は部・課名等の表示を印刷しているために、印刷された表示内容が変更になる毎にカード全体を新しく作り直す必要があり、費用がかかるという課題があった。
一方、特許文献１に記載のカードホルダーは、第１カード収容部に収容したカードの脱落や水濡れを防止することができると共に、社名又は部・課名等の表示を変更することができるが、第１カード挿入口を覆うカバー体を設けているために、水や埃による汚損の恐れのない使用においてはカードホルダーの製造コストが高くなるという課題があった。
【０００６】
そこで、本考案は、安価で且つ社名又は部・課名等の表示を容易に変更することができるカードホルダーを提供するものである。
【課題を解決するための手段】
【０００７】
本考案は、上記課題を解決するために、可撓性を有する透明又は半透明のポリオレフィン樹脂シートからなるホルダー本体に、名札カード挿入口を有するポケット状の名札カード収容部を設け、該名札カード収容部の下側に所属カード挿入口を有する所属カード収容部を設けたカードホルダーを提供するものである。
【０００８】
また、本考案は、前記ポリオレフィン樹脂シートが厚さ０．２５〜０．３５ｍｍのポリプロピレン樹脂シートである請求項１に記載のカードホルダーを提供するものである。
【０００９】
また、本考案は、前記名札カード挿入口の両端の近傍に切欠部を設けた請求項１又は２に記載のカードホルダーを提供するものである。
【００１０】
また、本考案は、前記名札カード収容部に名札カード取出用窓を設けた請求項１乃至３のいずれかに記載のカードホルダーを提供するものである。
【００１１】
また、本考案は、前記ホルダー本体にクリップ又は／及び紐を設けた請求項１乃至４のいずれかに記載のカードホルダーを提供するものである。
【考案の効果】
【００１２】
以上の通り、本考案に係るカードホルダーによれば、可撓性を有する透明又は半透明のポリオレフィン樹脂シートからなるホルダー本体に、名札カード挿入口を有するポケット状の名札カード収容部を設け、該名札カード収容部の下側に所属カード挿入口を有する所属カード収容部を設けた構成を有することにより、簡単な構成によって名札カード収容部と所属カード収容部を設けることができ、社名又は部・課名等の所属表示を容易に変更可能なカードホルダーの製造コストを低減することができる。また、所属カード収容部を名札カード収容部の下側に設けたから名札カードの出し入れが容易になると共に、ポリオレフィン樹脂シートによりホルダー使用後に焼却処理しても有害な塩化水素ガスやダイオキシン類を発生しない効果がある。
【００１３】
また、本考案は、前記ポリオレフィン樹脂シートが厚さ０．２５〜０．３５ｍｍのポリプロピレン樹脂シートである請求項１に記載の構成を有することにより、樹脂シートが適度な硬さを具備し、ホルダー本体及びカード収容部が型崩れし難い効果がある。
【００１４】
また、本考案は、前記名札カード挿入口の両端の近傍に切欠部を設けた請求項１又は２に記載の構成を有することにより、ホルダー本体を湾曲させると切欠部と切欠部の間の名札カード挿入口が大きく開口するから、名札カードを名札カード収容部に容易に挿入したり取り出したりすることができる効果がある。
【００１５】
また、本考案は、前記名札カード収容部に名札カード取出用窓を設けた請求項１乃至３のいずれかに記載の構成を有することにより、名札カード取出用窓から名札カードを取出操作して、名札カードを名札カード収容部から容易に取り出すことができる効果がある。
【００１６】
また、本考案は、前記ホルダー本体にクリップ又は／及び紐を設けた請求項１乃至４のいずれかに記載の構成を有することにより、ホルダー本体をクリップによって衣服に取り付けたり、首から吊下げたりすることができる効果がある。
【考案を実施するための最良の形態】
【００１７】
本考案の実施の形態を図示する実施例に基づいて説明する。
本考案に係るカードホルダーは、可撓性を有する透明又は半透明のポリオレフィン樹脂シートからなるホルダー本体１に、名札カード挿入口３を有するポケット状の名札カード収容部２を設け、該名札カード収容部２の下側に所属カード挿入口６を有する所属カード収容部５を設けてある。
【実施例１】
【００１８】
図示の実施例において、ホルダー本体１は、厚さ０．３ｍｍのポリプロピレン（ＰＰ）系オレフィン樹脂シートからなる。ポリプロピレン樹脂シートは、ホルダー本体１及びカード収容部２，５が型崩れし難い適度な硬さを具備するように、厚さ０．２５〜０．３５ｍｍに形成してあることが好ましい。また、ホルダー本体１には、ポリエチレン（ＰＥ）等の他の軟質オレフィン系樹脂シートを使用することも可能である。ホルダー本体１に非塩ビ素材を使用したことにより、ホルダーを使用後に焼却処理した場合でも、有害な塩化水素ガスやダイオキシン類が発生しない。
【００１９】
図２及び図３に示すように、ホルダー本体１の裏側には収容シート１１を設けてあり、接合部１３ａ，１３ｂ，１３ｃにおいてホルダー本体１に収容シート１１を溶着して名札カード収容部２及び所属カード収容部５を形成してある。図示の実施例において、収容シート１１は、厚さ０．３ｍｍのポリプロピレン（ＰＰ）系オレフィン樹脂シートからなる。また、収容シート１１には、ポリエチレン（ＰＥ）等の他の軟質オレフィン系樹脂シートを使用することも可能である。
【００２０】
図２及び図３に示すように、名札カード収容部２は、収容シート１１を左右端の接合部１３ａ及び所属カード収容部５との境界の接合部１３ｃにおいてホルダー本体１に溶着して、ポケット状の収容部を形成してある。名札カード収容部２の上側は、開口して名札カード挿入口３を設けてあると共に、収容シート１１の上端をホルダー本体１の上端より下側に位置させて名札カード１４をホルダー本体１の上端部に沿わせて名札カード収容部２に容易に挿入することができるように構成してある。
【００２１】
図示の実施例では、名札カード収容部２は、名札カード１４（８６×５４ｍｍ）を最適寸法で収容することができるように、外形寸法で幅９５ｍｍに形成してある。また、名札カード収容部２の高さは内形寸法で５６ｍｍであり、名札カード１４全体を収容することができる最小寸法に形成してある。
【００２２】
図２に示すように、収容シート１１には、名札カード挿入口３の両端の近傍で、収容される名札カード１４の両端部に相当する部分に切欠部７，７を設けてあり、名札カード収容部２の上部において、ホルダー本体１側を収容シート１１と分かれて外側に湾曲させて名札カード挿入口３を大きく開くことができるように構成してある。
また、８は名札カード取出用窓であり、収容シート１１に楕円形の孔を空けて、名札カード収容部２に収容した名札カードを押出すことができるように構成してある。
【００２３】
また、図２及び図３に示すように、ホルダー本体１の名札カード収容部２の下側には、所属カード収容部５を設けてある。所属カード収容部５は、収容シート１１をコ字の接合部１３ｂ，１３ｃにおいてホルダー本体１に溶着して、横長の袋状に形成してある。図２において、第２カード収容部５の右側は、開口して所属カード挿入口６を構成してある。所属カード挿入口６は、ホルダー本体１の端部より内側に設けてあり、図４に示すように、所属カード挿入口６の外側のホルダー本体１が所属カード１５を案内して所属カード収容部５に挿入することができるように構成してある。
【００２４】
図１に示すように、ホルダー本体１には、名札カード収容部２の上側に吊下げ部１２を設けてある。吊下げ部１２には、中央部に横長形状の取付孔９を設け、該取付孔９を挟んで左右対称な位置に円形の取付孔１０を設けてある。取付孔９には、クリップやベルト等の取付具１６を取り付けて、胸に吊下げたり、首から吊下げたりしてホルダー本体１を携帯することができる。また、取付孔１０に紐を通して、この紐によりホルダー本体１を吊下げて携帯することも可能である。
【００２５】
次に、実施例１に示すカードホルダーの作用について説明する。
図４に示すように、所属カード収容部５には、社名又は部・課名等の所属表示を印刷した所属カード１５を収容することができ、名札カード１４の所属表示を省略することができる。従って、社名又は部・課名等の所属表示を変える場合には、新しい所属表示を印刷した所属カード１５を所属カード収容部５に収容することによって、容易に社名又は部・課名等の所属表示を変更することができる。
【００２６】
また、図５に示すように、名札カード収容部２の上部において、ホルダー本体１側を収容シート１１と分かれて外側に湾曲させて名札カード挿入口３を大きく開くことにより、名札カード１４を吊下げ部１２及びホルダー本体１の上部に沿わせて容易に名札カード収容部２に挿入することができる。
【図面の簡単な説明】
【００２７】
【図１】本考案カードホルダーの一実施例を示す正面図
【図２】その一実施例を示す背面図
【図３】その一実施例を示す縦断面図
【図４】その一実施例の使用状態を示す正面図
【図５】その一実施例の使用状態を示す背面図
【符号の説明】
【００２８】
１  ホルダー本体
２  名札カード収容部
３  名札カード挿入口
５  所属カード収容部
６  所属カード挿入口
７  切欠部
８  名札カード取出用窓
９，１０  取付孔
１１  収容シート
１２  吊下げ部
１３ａ，１３ｂ，１３ｃ  接合部
１４  名札カード
１５  所属カード
１６  取付具
【図１】
0003125311.tif 000003
【図２】
0003125311.tif 000004
【図３】
0003125311.tif 000005
【図４】
0003125311.tif 000006
【図５】
0003125311.tif 000007